(57)【要約】【課題】広い温度範囲に亘って香料を可溶化された状態で維持することができ、かつ洗浄力の高い界面活性剤、および当該界面活性剤を含む液体洗浄剤を提供する。【解決手段】一般式（１）で表される界面活性剤である。Ｒ−Ｏ−［（ＥＯ）ａ／（ＰＯ）ｂ］−（ＥＯ）ｃ−Ｈ  （１）ただし、式（１）中、Ｒは炭素数１０〜１５のアルキル基を表し、ＥＯはオキシエチレン基を表し、ＰＯはオキシプロピレン基を表し、ａ、ｂおよびｃはそれぞれＥＯまたはＰＯの平均付加数を表す。また、ａは１〜１０の範囲に含まれる数であり、ｂは１〜８の範囲に含まれる数であり、ｃは７〜２０の範囲に含まれる数であり、ａ／ｂは０．６〜３である。また、［（ＥＯ）ａ／（ＰＯ）ｂ］はＥＯとＰＯの付加形態がランダム付加であることを意味する。【選択図】なし【特許請求の範囲】
【請求項１】
下記一般式（１）で表される界面活性剤。
Ｒ−Ｏ−［（ＥＯ）ａ／（ＰＯ）ｂ］−（ＥＯ）ｃ−Ｈ  （１）
ただし、式（１）中、Ｒは炭素数１０〜１５のアルキル基を表し、ＥＯはオキシエチレン基を表し、ＰＯはオキシプロピレン基を表し、ａ、ｂおよびｃはそれぞれＥＯまたはＰＯの平均付加数を表す。また、ａは１〜１０の範囲に含まれる数であり、ｂは１〜８の範囲に含まれる数であり、ｃは７〜２０の範囲に含まれる数であり、ａ／ｂは０．６〜３である。また、［（ＥＯ）ａ／（ＰＯ）ｂ］はＥＯとＰＯの付加形態がランダム付加であることを意味する。
【請求項２】
前記ａおよび前記ｃの合計が、１０〜２０である、請求項1に記載の界面活性剤。
【請求項３】
前記aおよび前記ｂの合計に対する前記ｃの割合（ｃ／（ａ＋ｂ））が、０．２〜２．５である、請求項１または２に記載の界面活性剤。
【請求項４】
請求項１〜３のいずれか1項に記載の界面活性剤を含む、液体洗浄剤。
【請求項５】
さらに香料を含む、請求項４に記載の液体洗浄剤。
【請求項６】
油脂、水垢、石鹸カスまたは屎尿汚れの付着した硬質表面用である、請求項４または５に記載の液体洗浄剤。
【発明の詳細な説明】
【技術分野】
【０００１】
本発明は、界面活性剤および液体洗浄剤に関する。
【背景技術】
【０００２】
浴室や浴槽等の汚れは他の住居汚れに対して洗浄効果を有する界面活性剤ならびに洗浄剤の開発が行われている。たとえば、特開平７−１２６６９０号公報（特許文献１）には、洗浄力の優れた界面活性剤として、ある構造を有する界面活性剤が具体的に開示されている。
【０００３】
また、洗浄剤にはたとえば油溶性の香料が添加される場合が多い。この場合、香料は、洗浄成分でもある界面活性剤により基材成分である水に可溶化される。
【先行技術文献】
【特許文献】
【０００４】
【特許文献１】特開平７−１２６６９０号公報
【特許文献２】特開２００１−１１４８９号公報
【発明の概要】
【発明が解決しようとする課題】
【０００５】
しかしながら、特許文献１に具体的に開示された界面活性剤を用いて香料を含む洗浄剤を製造した場合、たとえば、高温環境下での保管時または低温環境下での保管時に、洗浄剤が白濁してしまうという問題がある。
【０００６】
この発明は、上述の課題を解決するためになされたもので、その目的は、広い温度範囲に亘って香料を可溶化された状態で維持することができ、かつ洗浄力の高い界面活性剤、および当該界面活性剤を含む液体洗浄剤を提供することである。
【課題を解決するための手段】
【０００７】
（１）上記課題を解決するために、本発明の界面活性剤は、下記一般式（１）で表される。
Ｒ−Ｏ−［（ＥＯ）ａ／（ＰＯ）ｂ］−（ＥＯ）ｃ−Ｈ  （１）
ただし、式（１）中、Ｒは炭素数１０〜１５のアルキル基を表し、ＥＯはオキシエチレン基を表し、ＰＯはオキシプロピレン基を表し、ａ、ｂおよびｃはそれぞれＥＯまたはＰＯの平均付加数を表す。また、ａは１〜１０の範囲に含まれる数であり、ｂは１〜８の範囲に含まれる数であり、ｃは７〜２０の範囲に含まれる数であり、ａ／ｂは０．６〜３である。また、［（ＥＯ）ａ／（ＰＯ）ｂ］はＥＯとＰＯの付加形態がランダム付加であることを意味する。
【発明の効果】
【０００８】
本発明によれば、広い温度範囲に亘って香料を可溶化された状態で維持することができ、かつ洗浄力の高い界面活性剤、および当該界面活性剤を含む液体洗浄剤を提供することができる。
【発明を実施するための形態】
【０００９】
最初に、本発明の実施形態の内容を列記して説明する。
【００１０】
（１）本実施の形態に係る界面活性剤は、下記一般式（１）で表される。
Ｒ−Ｏ−［（ＥＯ）ａ／（ＰＯ）ｂ］−（ＥＯ）ｃ−Ｈ  （１）
ただし、式（１）中、Ｒは炭素数１０〜１５のアルキル基を表し、ＥＯはオキシエチレン基を表し、ＰＯはオキシプロピレン基を表し、ａ、ｂおよびｃはそれぞれＥＯまたはＰＯの平均付加数を表す。また、ａは１〜１０の範囲に含まれる数であり、ｂは１〜８の範囲に含まれる数であり、ｃは７〜２０の範囲に含まれる数であり、ａ／ｂは０．６〜３である。また、［（ＥＯ）ａ／（ＰＯ）ｂ］はＥＯとＰＯの付加形態がランダム付加であることを意味する。
【００１１】
このような構成により、たとえば当該界面活性剤を液体洗浄剤において香料と併用する場合に、広い温度範囲に亘って当該香料を可溶化された状態で維持することができる。言い換えれば、当該界面活性剤は、可溶化された香料の高温環境下および低温環境下における安定性を高めることができる。また、当該当該界面活性剤は、液体洗浄剤に高い洗浄力を与えることができる。また、たとえば、当該界面活性剤により、液体洗浄剤の起泡力を高めることができる。
【００１２】
（２）好ましくは、前記ａおよび前記ｃの合計が、１０〜２０である。
【００１３】
このような構成により、可溶化された香料の高温環境下および低温環境下における安定性をさらに高めることができ、洗浄力および起泡力をさらに高めることができる。
【００１４】
（３）好ましくは、前記aおよび前記ｂの合計に対する前記ｃの割合（ｃ／（ａ＋ｂ））が、０．２〜２．５である
【００１５】
このような構成により、可溶化された香料の高温環境下および低温環境下における安定性をさらに高めることができ、洗浄力および起泡力をさらに高めることができる。
【００１６】
（４）本発明の実施の形態に係る液体洗浄剤は、上記（１）〜（３）のいずれかに記載の界面活性剤を含む。
【００１７】
このような構成により、高い洗浄力および起泡力を有する液体洗浄剤を得ることができる。また、当該液体洗浄剤が、可溶化された香料を含む場合に、当該香料の高温環境下および低温環境下における安定性を高めることができる。
【００１８】
（５）好ましくは、前記液体洗浄剤は、さらに香料を含む。
【００１９】
このような構成により、たとえば保管時において白濁等が生じにくい香料入りの液体洗浄剤を得ることができる。
【００２０】
（６）好ましくは、前記液体洗浄剤は、油脂汚れ、水垢、石鹸カスまたは屎尿汚れの付着した硬質表面用である。
【００２１】
このような構成により、たとえば、洗面台、浴室、浴槽、タイル等の陶器を含む硬質表面に好適に使用することができる。
【００２２】
以下、本発明の実施に関連する事項について詳細に説明する。
【００２３】
［界面活性剤］
本実施形態に係る液体洗浄剤には、下記一般式（１）で表される界面活性剤が配合される。
【００２４】
Ｒ−Ｏ−［（ＥＯ）ａ／（ＰＯ）ｂ］−（ＥＯ）ｃ−Ｈ    （１）
【００２５】
式（１）において、Ｒは炭素数１０〜１５の直鎖または分岐鎖のアルキル基を示す。Ｒの炭素数は、可溶化された香料の高温環境下および低温環境下における安定性、および洗浄力の向上の観点から、１２〜１５であることが好ましく、１２〜１３であることがさらに好ましい。また、液体洗浄剤に高い起泡力を与える観点からも、上記の範囲が好ましい。なお、式（１）において、Ｏは酸素を表し、Ｈは水素を表す。
【００２６】
本開示において、ＥＯはオキシエチレン基を表す。式（１）において、ａは、ＥＯの平均付加数を表し、１〜１０の範囲に含まれる数である。当該ａは、可溶化された香料の高温環境下および低温環境下における安定性、起泡力および洗浄力の向上の観点から、２〜８の範囲に含まれる数であることが好ましく、３〜７の範囲に含まれる数であることがより好ましく、４〜６の範囲に含まれることがさらに好ましい。
【００２７】
本開示において、ＰＯは、オキシプロピレン基を表す。式（１）において、ｂは、ＰＯの平均付加数を表し、１〜８の範囲に含まれる数である。当該ｂは、可溶化された香料の高温環境下および低温環境下における安定性、起泡力ならびに洗浄力の向上の観点からの観点から、２〜６の範囲に含まれる数であることが好ましく、３〜５の範囲に含まれる数であることがより好ましく、４〜５の範囲に含まれる数であることがさらに好ましい。
【００２８】
式（１）において、ｃは、ＥＯの平均付加数を表し、７〜２０の範囲に含まれる数である。当該ｃは、可溶化された香料の高温環境下および低温環境下における安定性、起泡力ならびに洗浄力の向上の観点からの観点から、７〜１５の範囲に含まれる数であることが好ましく、８〜１３の範囲に含まれる数であることがさらに好ましい。
【００２９】
本実施の形態に係る界面活性剤は、式（１）によって示される複数の化合物の混合物であってもよいし、式（１）におけるａ、ｂおよびｃならびにＲの炭素数のそれぞれが単一の化合物であってもよい。
【００３０】
式（１）において、［（ＥＯ）ａ／（ＰＯ）ｂ］は、ＥＯとＰＯの付加形態がランダム付加であることを意味する。以下、本実施の形態に係る界面活性剤の「［（ＥＯ）ａ／（ＰＯ）ｂ］」によって示される部分を「コポリマー部」とも称する。コポリマー部では、たとえば、ａ個のエチレンオキサイドとｂ個のプロピレンオキサイドとがランダム重合している。
【００３１】
以下、本実施の形態に係る界面活性剤の「（ＥＯ）ｃ」によって示される部分を「ホモポリマー部」とも称する。ホモポリマー部では、たとえば、ｃ個のエチレンオキサイドが重合している。
【００３２】
式（１）において、ａおよびｂの割合（ａ／ｂ）は０．６〜３である。当該比率は、可溶化された香料の高温環境下および低温環境下における安定性、起泡力ならびに洗浄力の向上の観点からの観点から、０．７〜２．５であることが好ましく、０．７〜２．０であることがより好ましく、０．８〜１．８であることがより好ましい。
【００３３】
式（１）において、ａおよびｂの合計に対するｃの割合（ｃ／（ａ＋ｂ））は、特に限定されないが、可溶化された香料の高温環境下および低温環境下における安定性、起泡力ならびに洗浄力の向上の観点からの観点から、０．２〜２．５であることが好ましく、０．５〜２．０であることがより好ましく、０．７〜１．９であることがより好ましく、０．８〜１．８であることがさらに好ましい。
【００３４】
式（１）において、ａおよびｃの合計（ａ＋ｃ）は、特に限定されないが、可溶化された香料の高温環境下および低温環境下における安定性、起泡力ならびに洗浄力の向上の観点からの観点から、８〜３０であることが好ましく、１０〜２５であることがより好ましく、１２〜２０であることがより好ましく、１５〜１８であることがより好ましく、１６〜１７であることがさらに好ましい。
【００３５】
本実施の形態に係る界面活性剤の製造方法は、特に限定されないが、公知のポリオキシアルキレンアルキルエーテルの合成方法を利用して製造することができる。たとえば、界面活性剤は、アルカリ触媒または酸触媒の存在下において、直鎖または分岐鎖のアルコールに、（１）エチレンオキサイドおよびプロピレンオキサイドの混合物を８０〜１５０℃で反応させて上記コポリマー部を形成し、続いて、（２）エチレンオキサイドを反応させて上記ホモポリマー部を形成することで得ることができる。
【００３６】
［液体洗浄剤］
本実施の形態に係る液体洗浄剤における上記界面活性剤の含有量は、特に限定されないが、可溶化された香料の高温環境下および低温環境下における安定性、起泡力ならびに洗浄力の向上の観点からの観点から、０．５〜６０質量％であることが好ましく、１〜５０％であることがより好ましく、１〜４５％であることがさらに好ましい。界面活性剤の好ましい含有量は、液体洗浄剤のタイプによって異なってもよい。たとえば、被洗浄面に直接スプレーするタイプ、直接掛けるタイプ、または直接塗付するタイプの液体洗浄剤等の場合、当該液体洗浄剤における界面活性剤の含有量は、０．５〜１０質量％であることが好ましく、１〜５質量％であることがさらに好ましい。また、たとえば、使用時に水で希釈されるタイプの液体洗浄剤の場合、当該液体洗浄剤における界面活性剤の含有量は、使用時の希釈の程度にもよるが、２０〜６０質量％であることが好ましく、３０〜５０質量％であることがよりに好ましく、３５〜４５質量％であることがさらに好ましい。
【００３７】
本実施の形態に係る液体洗浄剤は、香料を含んでも良いし、含まなくても良い。液体洗浄剤が香料を含まない場合であっても、たとえば、液体洗浄剤に使用者自身が香料を添加することが考えられる。
【００３８】
本実施の形態に係る液体洗浄剤が香料を含む場合、当該香料は特に限定されず、水溶性の香料または油溶性の香料を好適に使用することができる。また、本実施の形態に係る液体洗浄剤における香料の含有量は、特に限定されないが、可溶化された当該香料の高温環境下および低温環境下における安定性を向上させる観点から観点から、０．０１〜２０質量％であることが好ましく、０．０１〜１０質量％であることがより好ましい。香料の好ましい含有量は、液体洗浄剤のタイプによって異なってもよい。たとえば、被洗浄面に直接スプレーするタイプ、直接掛けるタイプ、または直接塗付するタイプの液体洗浄剤等の場合、当該液体洗浄剤における香料の含有量は、０．０１〜１質量％であることが好ましく、０．０１〜０．５質量％であることがさらに好ましい。たとえば、使用時に水で希釈されるタイプの液体洗浄剤の場合、当該液体洗浄剤における香料の含有量は、使用時の希釈の程度にもよるが、０．１〜２０質量％であることが好ましく、０．１〜１０質量％であることがよりに好ましい。
【００３９】
［その他の成分］
本実施形態に係る液体洗浄剤には、その基材成分として水が使用される。本実施形態に係る液体洗浄剤には、その他、上記一般式（１）で表される界面活性剤以外のノニオン性界面活性剤、カチオン性界面活性剤、アニオン性界面活性剤、溶剤、キレート剤、ビルダー、脂肪酸塩、ｐＨ調整剤、香料、色素、粘度調整剤、表面改質剤、酸化防止剤、紫外線吸収剤、防腐剤、防かび剤などの添加剤を配合してもよい。ｐＨ調整剤としては、水酸化ナトリウム、水酸化カリウム、アルカノールアミンなどのアルカリ剤や、塩酸や硫酸などの無機酸、パラトルエンスルホン酸、メタキシレンスルホン酸、安息香酸、クエン酸などが挙げられる。
【００４０】
本実施形態に係る液体洗浄剤のｐＨは特に限定されないが、２５℃におけるｐＨが５〜９であることが好ましく、より好ましくは６〜８である。
【００４１】
本実施形態に係る液体洗浄剤は、油脂、具体的には、たとえば、皮脂、動物性油脂または植物性油脂を主体とする汚れに対して優れた洗浄力と起泡力を有する。また、本実施形態に係る液体洗浄剤は、油脂だけでなく、台所や浴槽の水垢、石鹸カス、トイレの屎尿汚れ等、家庭における汚れに対して、優れた洗浄力と起泡力を有する。そのため、本実施形態に係る液体洗浄剤組成物は、各種汚れが付着した各種硬質表面を洗浄するための硬質表面用洗浄剤として好適に用いることができる。言い換えれば、本実施形態に係る液体洗浄剤は、油脂、水垢、石鹸カスまたは屎尿汚れの付着した硬質表面用として好適に用いることができる。
【００４２】
本実施形態に係る液体洗浄剤を用いた洗浄方法としては、特に限定されず、たとえば、（１）スポンジなどに当該液体洗浄剤を含浸させて、当該スポンジで被洗浄面を擦り洗いした後、水ですすぐ、（２）被洗浄面に当該液体洗浄剤をスプレーまたは塗付した後、しばらく放置して水ですすぐ、あるいは（３）被洗浄面に当該液体洗浄剤をスプレーまたは塗付した後、スポンジ等で擦り、その後水ですすぐ、などが考えられる。
【実施例】
【００４３】
以下、実施例により本発明を更に詳細に説明するが、本発明はこれらに限定されるものではない。
【００４４】
実施例１〜７および比較例１〜７として、各界面活性剤について、可溶化した香料の安定性、起泡力および洗浄力を評価した。実施例１〜７および比較例１〜７で使用した各界面活性剤および各評価結果を表１に示す。また、表１中の各成分すなわち各界面活性剤および各香料の詳細は以下の通りである。
【００４５】
（界面活性剤）
・Ｓ−１：
Ｃ１２〜１６アルコール（Ｃ１２：７０〜７５％、Ｃ１４：１８〜２３％、Ｃ１６：５〜１０％）（商品名：カルコール２４７３、花王株式会社製）１モルに、エチレンオキサイド６モルおよびプロピレンオキサイド４モルをランダム付加し、次いでエチレンオキサイド１０モルを付加した、上記式（１）で表される化合物（式（１）中、ａ＝６、ｂ＝４、ｃ＝１０）。
・Ｓ−２：  
Ｃ１２〜１６アルコール（商品名：カルコール２４７３、花王株式会社製）１モルに、エチレンオキサイド４モルおよびプロピレンオキサイド３．５モルをランダム付加し、次いでエチレンオキサイド１２モルを付加した、上記式（１）で表される化合物（式（１）中、ａ＝４、ｂ＝３．５、ｃ＝１２）。
・Ｓ−３：
Ｃ１２〜１６アルコール（商品名：カルコール２４７３、花王株式会社製）１モルに、エチレンオキサイド４モルおよびプロピレンオキサイド３．５モルをランダム付加し、次いでエチレンオキサイド１０モルを付加した、上記式（１）で表される化合物（式（１）中、ａ＝４、ｂ＝３．５、ｃ＝１０）。
・Ｓ−４：
Ｃ１２〜１６アルコール（商品名：カルコール２４７３、花王株式会社製）１モルに、エチレンオキサイド６モルおよびプロピレンオキサイド３．５モルをランダム付加し、次いでエチレンオキサイド８モルを付加した、上記式（１）で表される化合物（式（１）中、ａ＝６、ｂ＝３．５、ｃ＝８）。
・Ｓ−５：
Ｃ１２〜１６アルコール（商品名：カルコール２４７３、花王株式会社製）１モルに、エチレンオキサイド４モルおよびプロピレンオキサイド５モルをランダム付加し、次いでエチレンオキサイド１０モルを付加した、上記式（１）で表される化合物（式（１）中、ａ＝４、ｂ＝５、ｃ＝１０）。
・Ｓ−６：
Ｃ１２〜１６アルコール（商品名：カルコール２４７３、花王株式会社製）１モルに、エチレンオキサイド６モルおよびプロピレンオキサイド５モルをランダム付加し、次いでエチレンオキサイド１０モルを付加した、上記式（１）で表される化合物（式（１）中、ａ＝６、ｂ＝５、ｃ＝１０）。
・Ｓ−７
Ｃ１２〜１６アルコール（商品名：カルコール２４７３、花王株式会社製）１モルに、エチレンオキサイド４モルおよびプロピレンオキサイド３．５モルをランダム付加し、次いでエチレンオキサイド１３モルを付加した、上記式（１）で表される化合物（式（１）中、ａ＝４、ｂ＝３．５、ｃ＝１３）。
【００４６】
（界面活性剤（比較用））
・ＳＣ−１
Ｃ１２〜１６アルコール（商品名：カルコール２４７３、花王株式会社製）１モルに、エチレンオキサイド５モルおよびプロピレンオキサイド２モルをランダム付加し、次いでエチレンオキサイド５モルを付加した、上記式（１）で表される化合物（式（１）中、ａ＝５、ｂ＝２、ｃ＝５）。
・ＳＣ−２
Ｃ１２〜１６アルコール（商品名：カルコール２４７３、花王株式会社製）１モルに、エチレンオキサイド５モルおよびプロピレンオキサイド１０モルをランダム付加し、次いでエチレンオキサイド１０モルを付加した、上記式（１）で表される化合物（式（１）中、ａ＝５、ｂ＝１０、ｃ＝１０）。
・ＳＣ−３
Ｃ１２〜１６アルコール（商品名：カルコール２４７３、花王株式会社製）１モルに、エチレンオキサイド１４．５モルおよびプロピレンオキサイド３．５モルをランダム付加した、上記式（１）で表される化合物（式（１）中、ａ＝１４．５、ｂ＝３．５、ｃ＝０）。
・ＳＣ−４
Ｃ１２〜１６アルコール（商品名：カルコール２４７３、花王株式会社製）１モルに、エチレンオキサイド１８モルおよびプロピレンオキサイド４．５モルをランダム付加した、上記式（１）で表される化合物（式（１）中、ａ＝１８、ｂ＝４．５、ｃ＝０）。
・ＳＣ−５
Ｃ１２〜１６アルコール（商品名：カルコール２４７３、花王株式会社製）１モルに、プロピレンオキサイド４モルを付加し、次いでエチレンオキサイド１０モルを付加した、上記式（１）で表される化合物（式（１）中、ａ＝０、ｂ＝４、ｃ＝１０）。
・ＳＣ−６
Ｃ１２〜１６アルコール（商品名：カルコール２４７３、花王株式会社製）１モルに、プロピレンオキサイド４モルを付加し、次いでエチレンオキサイド１４モルを付加した、上記式（１）で表される化合物（式（１）中、ａ＝０、ｂ＝４、ｃ＝１４）。
・ＳＣ−７
Ｃ１２〜１６アルコール（商品名：カルコール２４７３、花王株式会社製）１モルに、エチレンオキサイド１４モルを付加した、上記式（１）で表される化合物（式（１）中、ａ＝０、ｂ＝０、ｃ＝１４）。
【００４７】
（香料）
・Ｆ−１
香料（商品名：ＯＲＡＮＧＥ  ＡＦ１１２７１、曽田香料株式会社）
・Ｆ−２
香料（商品名：ＦＲＥＳＨ ＡＩＲ Ｗ８１９８、塩野香料株式会社）
【００４８】
[１]  可溶化された香料の安定性
界面活性剤２０質量％、香料５質量％および水７５質量％の、当該香料が可溶化している混合液（液体洗浄剤）を、−５℃（低温環境）、または５０℃（高温環境）で２４時間保管し、その後当該混合液の状態を目視にて確認する。判定基準は次のとおりである。
【００４９】
Ａ：混合液が透明
Ｂ：混合液が白濁またはゲル化
【００５０】
[２]  起泡力
界面活性剤の０．１質量％水溶液５０ｍｌを容量１００ｍｌのネスラー管に入れ、1秒間に1回の速さで３０秒間反転を繰り返し、１０秒後の泡体積を目視にて確認する。判定基準は次のとおりである。
【００５１】
Ａ：４０ｍｌ以上
Ｂ：３０ｍｌ以上４０ｍｌ未満
Ｃ：３０ｍｌ未満
【００５２】
[３]  洗浄力
スライドガラスにオリーブオイル２０ｍｇを塗付し、当該スライドガラスを界面活性剤の１質量％水溶液３００ｍｌに３０秒間浸漬する。次に、当該スライドガラスを１０００ｍｌの水に１０秒間浸漬することによってすすぎを行う。その後、スライドガラス上のオリーブオイルの有無を目視にて確認する。判定基準は次のとおりである。
【００５３】
Ａ：オリーブオイルなし
Ｂ：オリーブオイルあり
【００５４】
【表１】
2019203046.tif 000002
【００５５】
結果は、表１に示すとおりであり、実施例１〜７の界面活性剤は、可溶化された香料の高温環境下および低温環境下における安定性と、起泡力と、洗浄力とについて優れた性能を有することが分かる。また、比較例の界面活性剤では、少なくとも、可溶化された香料の安定性または洗浄力に関して実施例１〜７の界面活性剤よりも劣っていることが分かる。
【産業上の利用可能性】
【００５６】
本発明に係る液体洗浄剤組成物は、たとえば、油脂汚れの付着した硬質表面の洗浄剤として用いることができる。
【手続補正書】
【提出日】平成30年12月21日(2018.12.21)
【手続補正１】
【補正対象書類名】特許請求の範囲
【補正対象項目名】全文
【補正方法】変更
【補正の内容】
【特許請求の範囲】
【請求項１】
下記一般式（１）で表される界面活性剤および油溶性の香料を含むトイレ用液体洗浄剤。
Ｒ−Ｏ−［（ＥＯ）ａ／（ＰＯ）ｂ］−（ＥＯ）ｃ−Ｈ  （１）
ただし、式（１）中、Ｒは炭素数１０〜１５のアルキル基を表し、ＥＯはオキシエチレン基を表し、ＰＯはオキシプロピレン基を表し、ａ、ｂおよびｃはそれぞれＥＯまたはＰＯの平均付加数を表す。また、ａは１〜１０の範囲に含まれる数であり、ｂは３〜５の範囲に含まれる数であり、ｃは７〜２０の範囲に含まれる数であり、ａ／ｂは０．６〜３である。また、［（ＥＯ）ａ／（ＰＯ）ｂ］はＥＯとＰＯの付加形態がランダム付加であることを意味する。
【請求項２】
前記ａおよび前記ｃの合計が、１０〜２０である、請求項１に記載のトイレ用液体洗浄剤。
【請求項３】
前記ａおよび前記ｂの合計に対する前記ｃの割合（ｃ／（ａ＋ｂ））が、０．２〜２．５である、請求項１または２に記載のトイレ用液体洗浄剤。
【手続補正書】
【提出日】平成31年2月8日(2019.2.8)
【手続補正１】
【補正対象書類名】特許請求の範囲
【補正対象項目名】全文
【補正方法】変更
【補正の内容】
【特許請求の範囲】
【請求項１】
下記一般式（１）で表される界面活性剤および油溶性の香料を含むトイレ用液体洗浄剤。
Ｒ−Ｏ−［（ＥＯ）ａ／（ＰＯ）ｂ］−（ＥＯ）ｃ−Ｈ  （１）
ただし、式（１）中、Ｒは炭素数１０〜１５のアルキル基を表し、ＥＯはオキシエチレン基を表し、ＰＯはオキシプロピレン基を表し、ａ、ｂおよびｃはそれぞれＥＯまたはＰＯの平均付加数を表す。また、ａは２〜１０の範囲に含まれる数であり、ｂは３〜５の範囲に含まれる数であり、ｃは７〜２０の範囲に含まれる数であり、ａ／ｂは０．６〜３である。また、［（ＥＯ）ａ／（ＰＯ）ｂ］はＥＯとＰＯの付加形態がランダム付加であることを意味する。
【請求項２】
前記ａおよび前記ｃの合計が、１０〜２０である、請求項１に記載のトイレ用液体洗浄剤。
【請求項３】
前記ａおよび前記ｂの合計に対する前記ｃの割合（ｃ／（ａ＋ｂ））が、０．２〜２．５である、請求項１または２に記載のトイレ用液体洗浄剤。